(57)【要約】【課題】  ブレーキ液圧制御装置において、特に、ブレーキアクチュエータがリザーバより上方に配設される場合に、ブレーキ液に含まれる気泡をリザーバに向かって良好に排出できるようにする。【解決手段】  ホース４０の、ブレーキアクチュエータ１６からリザーバ３０に向かう向きにおいて上方から下方へ向かう急傾斜部に、他の部分より横断面積の小さい狭通路部８２，８４を形成し、その狭通路部においてブレーキ液が比較的高速で流れることを利用して気泡をリザーバ３０に向かって押し流す。また、面積急減部８０，８８を設けて、ブレーキ液がリザーバ３０からブレーキアクチュエータ１６に向かう際に、気泡を捕捉するトラップとして機能させ、気泡のブレーキアクチュエータ１６への侵入を防止する。【選択図】      図３
2005193759.tif 000002
【特許請求の範囲】
【請求項１】
液圧回路中の第一点と第二点との間を接続する接続通路であって、
その接続通路に、 (i)その接続通路の、前記第一点側から前記第二点側に向かう向きにおいて上方から下方へ延びる部分の少なくとも一部の横断面積が、他の部分の横断面積に比較して小さくされて成る狭通路部と、 (ii)その接続通路の横断面積が急変する面積急変部との少なくとも一方が、少なくとも１つ設けられたことを特徴とする接続通路。
【請求項２】
液圧回路中の第一点と第二点との間を接続する接続通路であって、
その接続通路の少なくとも一部が互いに並列の第一通路および第二通路を含み、第一通路に第一流通規制部が、第二通路に第二流通規制部がそれぞれ設けられるとともに、それら第一流通規制部と第二流通規制部との液体の流れを規制する方向が互いに反対向きとされたことを特徴とする接続通路。
【請求項３】
作動液を蓄えるリザーバと、そのリザーバから作動液を汲み上げるポンプと、それらリザーバとポンプとを接続する接続通路とを含む液圧回路であって、
前記接続通路に、 (i)その接続通路の、前記ポンプ側から前記リザーバ側に向かう向きにおいて上方から下方へ延びる部分の少なくとも一部の横断面積が、他の部分の横断面積に比較して小さくされて成る狭通路部と、 (ii)その接続通路の横断面積が急変する面積急変部との少なくとも一方が、少なくとも１つ設けられたことを特徴とする液圧回路。
【請求項４】
(a)ブレーキ液を蓄えるリザーバと、
(b)少なくとも、前記リザーバからブレーキ液を汲み上げるポンプと、そのポンプをブレーキシリンダに接続する液通路の途中に設けられてブレーキシリンダに対するブレーキ液の流入を制御する増圧弁とを含むブレーキアクチュエータと、
(c)そのブレーキアクチュエータと前記リザーバとを接続する接続通路と
を含むブレーキ液圧制御装置において、
前記接続通路に、 (i)その接続通路の、前記ブレーキアクチュエータから前記リザーバに向かう向きにおいて上方から下方へ延びる部分の少なくとも一部の横断面積が、他の部分の横断面積に比較して小さくされて成る狭通路部と、 (ii)その接続通路の横断面積が急変する面積急変部との少なくとも一方が、少なくとも１つ設けられたことを特徴とするブレーキ液圧制御装置。
【請求項５】
前記リザーバが前記ブレーキアクチュエータより下方に配置された請求項４に記載のブレーキ液圧制御装置。
【請求項６】
前記狭通路部を含み、その狭通路部およびその近傍部が管体から成る請求項４または５に記載のブレーキ液圧制御装置。
【請求項７】
前記面積急変部を含み、その面積急変部が、前記ブレーキアクチュエータから前記リザーバに向かう向きにおいて横断面積が急減する面積急減部である請求項４ないし６のいずれかに記載のブレーキ液圧制御装置。
【請求項８】
前記接続通路の、前記狭通路部の前記リザーバ側の端に隣接する部分に、リザーバ側の部分ほど横断面積が漸増する面積漸増部が形成された請求項７に記載のブレーキ液圧制御装置。
【請求項９】
(a)ブレーキ液を蓄えるリザーバと、
(b)少なくとも、前記リザーバからブレーキ液を汲み上げるポンプと、そのポンプから吐出されたブレーキ液を加圧下に蓄えるアキュムレータと、それらポンプおよびアキュムレータをブレーキシリンダに接続する液通路の途中に設けられてブレーキシリンダへのブレーキ液の流入を制御する増圧弁とを含むブレーキアクチュエータと、
(c)そのブレーキアクチュエータと前記リザーバとを接続する接続通路と
を含むブレーキ液圧制御装置において、
前記接続通路に、それが設けられない状態に比較して、前記ブレーキアクチュエータから前記リザーバへの気泡の移動を容易とする一方、逆向きの移動を困難とする気泡移動制御装置が設けられたことを特徴とするブレーキ液圧制御装置。
【請求項１０】
(i)少なくとも一部の横断面積が、他の部分の横断面積に比較して小さくされて成る狭通路部と、 (ii)横断面積が急変する面積急変部との少なくとも一方が、少なくとも１つ設けられたことを特徴とする液通路用管体。
【請求項１１】
１本の管体の内部空間がその管体の長手方向に平行に延びる仕切により仕切られることにより、１本の管体内に第一通路および第二通路が形成され、かつ、第一通路に第一流通規制部が、第二通路に第二流通規制部がそれぞれ設けられるとともに、それら第一流通規制部と第二流通規制部との液体の流れを規制する方向が互いに反対向きとされたことを特徴とする液通路用管体。
【発明の詳細な説明】
【技術分野】
【０００１】
本発明は、液通路に関し、詳しくは、液圧ブレーキシステム等の液通路における気泡対策に関する。
【背景技術】
【０００２】
液圧ブレーキシステムにおいては、ゴム製のブレーキホース，金属製のブレーキパイプ等の管体が使用される。例えば、液圧ブレーキシステムの中に、(a)ブレーキ液を蓄えるリザーバと、 (b)少なくとも、前記リザーバからブレーキ液を汲み上げるポンプと、そのポンプをブレーキシリンダに接続する液通路の途中に設けられてブレーキシリンダへのブレーキ液の流入を制御する増圧弁とを含むブレーキアクチュエータと、 (c)それらリザーバとブレーキアクチュエータとを接続する接続通路とを含むブレーキ液圧制御装置を備えたものがあり、上記接続通路には、多くの場合、ゴムホースが使用される。このゴムホースは、例えば、特許文献１に記載されているように、内部の液通路の横断面積が一定のものである。このゴムホースは高圧用であるが、低圧用においても、補強層が設けられない、あるいは少ない点において異なる以外は同様である。
【特許文献１】特開平６−３０５０８３号公報
【０００３】
一方、液圧ブレーキシステムにおいて液圧回路内のブレーキ液に気泡が発生あるいは混入することがある。この気泡は、ブレーキ液の圧力の変化に伴って膨張，収縮し、ブレーキ液圧の変化を鈍くしたり、ブレーキ操作部材の操作感を悪くしたりする。あるいは、液圧回路内のポンプや制御弁内に溜まってそれらの作動に悪影響を与える。そのため、液圧ブレーキシステムにおいては、液圧回路内の気泡の排除に努力が払われている。例えば、前記 (a)リザーバ， (b)ブレーキアクチュエータおよび (c)接続通路を含むブレーキ液圧制御装置においては、ブレーキアクチュエータ内に気泡が侵入することを極力回避するため、あるいは一旦侵入した気泡を極力排除するため、リザーバをブレーキアクチュエータより高い位置に設けることが行われている。そうすれば、接続通路が概してブレーキアクチュエータ側からリザーバ側に向かって上り勾配となるため、気泡がリザーバ側へ移動し易いからである。例えば、接続通路全部がブレーキアクチュエータ側からリザーバ側に向かって上り勾配となっている場合には、気泡は浮力によってリザーバ側へ移動するし、部分的に下り勾配になっていても、それが少しであれば、ブレーキアクチュエータの作動に伴って生じるブレーキ液のリザーバ側に向かう流れ、あるいは意図的に作られた流れにより、気泡が押し流されてリザーバ側へ排出される。また、ブレーキアクチュエータの作動時に、リザーバ側からブレーキアクチュエータ側へのブレーキ液の流れが生じても、ブレーキアクチュエータ側に向かっては接続通路が概して下り勾配になっているために、気泡がブレーキアクチュエータ側へ取り込まれ難い。
【発明の開示】
【発明が解決しようとする課題】
【０００４】
しかし、周辺の状況によって気泡の排出が困難となる場合がある。リザーバをブレーキアクチュエータより低い位置に設けざるを得ず、気泡をリザーバ側へ排出することが難しい場合がその一例である。高低差が相当程度大きくなることを避け得ない場合には、特に気泡の排出が困難となる。
本発明は、以上の実情を背景としてなされたものであり、ブレーキ液圧制御装置における気泡排出を容易にすることを直接の課題としてなされたものである。しかし、完成された発明は、ブレーキ液圧制御装置のみならず、液圧ブレーキシステム全体に対して、さらには同様な要求のある液圧回路に対して広く適用可能なものとなった。
【課題を解決するための手段】
【０００５】
本願の一発明は、液圧回路中の第一点と第二点との間を接続する接続通路に、 (i)その接続通路の、前記第一点側から前記第二点側に向かう向きにおいて上方から下方へ延びる部分の少なくとも一部の横断面積が、他の部分の横断面積に比較して小さくされて成る狭通路部と、 (ii)その接続通路の横断面積が急変する面積急変部との少なくとも一方を、少なくとも１つ設けたことを特徴とするものである。
液圧回路中の第一点と第二点との間を接続する接続通路の、第一点側から第二点側に向かう向きにおいて上方から下方へ延びる部分があれば、その部分においては、作動液中の気泡が浮力によって第二点側から第一点側へ移動しようとする。それに対して、その部分の少なくとも一部を狭通路部とすれば、第一点側から第二点側へ作動液が流れる際に、作動液の量が同じであっても狭通路部においては流速が大きくなり、狭通路部を設けない場合には上方から下方へ押し流すことができない気泡を、押し流すことが可能となる。また、接続通路に、横断面積が急変する面積急変部を設ければ、その面積急変部が気泡を捉えて移動させないトラップとして機能し、接続通路内を第二点から第一点に向かって流れる作動液によって気泡が第一点側へ取り込まれることを抑制することができる。
【０００６】
本発明は、ブレーキ液への気泡の混入がブレーキの作動に大きな影響を与える液圧ブレーキ装置の液圧回路において特に有効であるが、それに限定されるわけではない。接続通路内を流れる液体に気泡が混入する可能性があり、その気泡がある方向に移動することは望ましくないが、逆方向に移動することは差し支えない、あるいは望ましい場合に、広く適用することができる。第一点と第二点との相対高さおよびそれら２点の間における通過経路が任意に変更可能であれば、第二点を第一点より高くすることと、通過経路を望ましいものに決定することとの少なくとも一方によって目的を達し得るが、第一点と第二点との相対高さと、それら２点の間における通過経路との少なくとも一方が予め決まっている場合に、本発明が有効となる。そして、第二点より第一点の方が高い場合、特に、その高さの差が大きい場合に本発明の有効性が増す。
【０００７】
本願の別の発明は、液圧回路中の第一点と第二点との間を接続する接続通路の少なくとも一部を互いに並列の第一通路および第二通路を含むものとし、第一通路に第一流通規制部を、第二通路に第二流通規制部をそれぞれ設けるとともに、それら第一流通規制部と第二流通規制部との液体の流れを規制する方向を互いに反対向きとしたことを特徴とするものである。
本項において、「流れの規制」の端的なものは、流れの阻止であるが、流れを絞る等して抑制することも含むものとする。例えば、第一流通規制部を第二点から第一点に向かう液体の流れを阻止するものとし、第二流通規制部を第一点から第二点に向かう液体の流れを阻止するものとすれば、気泡を含んだ液体を第一点から第一通路を経て第二点へ送り、気泡を含まない液体を第二点から第一点へ環流させることができる。また、第一，第二流通規制部を液体の流れを抑制するものとした場合には、第一点と第二点との一方から他方へは気泡が移動し易く、逆向きには移動しにくくすることができる。
【０００８】
本願のさらに別の発明は、 (a)ブレーキ液を蓄えるリザーバと、 (b)少なくとも、前記リザーバからブレーキ液を汲み上げるポンプと、そのポンプから吐出されたブレーキ液を加圧下に蓄えるアキュムレータと、それらポンプおよびアキュムレータをブレーキシリンダに接続する液通路の途中に設けられてブレーキシリンダへのブレーキ液の流入を制御する増圧弁とを含むブレーキアクチュエータと、 (c)そのブレーキアクチュエータと前記リザーバとを接続する接続通路とを含むブレーキ液圧制御装置において、前記接続通路に、それが設けられない状態に比較して、前記ブレーキアクチュエータから前記リザーバへの気泡の移動を容易とする一方、逆向きの移動を困難とする気泡移動制御装置を設けたことを特徴とするものである。
本発明によれば、アキュムレータに加圧下に蓄積されたブレーキ液を接続通路を経てリザーバへ排出することにより、ブレーキアクチュエータ内の気泡をリザーバへ排出すること、あるいは一旦接続通路へ送られた気泡がブレーキアクチュエータへ戻ることを良好に抑制することができる。ブレーキアクチュエータのブレーキ液をリザーバへ排出する場合には、ブレーキアクチュエータ内の気泡の発生し易い部分や気泡の滞留し易い部分を経て排出し、ブレーキ液と共に、気泡をリザーバへ排出することが望ましい。前記狭通路部および面積急変部の少なくとも一方を含む接続通路や、第一，第二流通規制部を含む接続通路は、本項の気泡移動制御装置の一態様でもある。
【発明の効果】
【０００９】
上記のように、接続通路に狭通路部を設ければ、それを設けない状態に比較して、その接続通路内において気泡が第一点側から第二点側へ排出され易くなる。また、面積急変部を設ければ、それを設けない状態に比較して、その接続通路内において気泡が第二点側から第一点側へ取り込まれ難くなる。
また、第一，第二流通規制部を含む接続通路によれば、その接続通路により接続される２点の一方から他方へ気泡を排出すること、あるいは一旦排出された気泡が元に戻ることを抑制することができる。
さらに、液圧ブレーキ装置において、ブレーキアクチュエータとリザーバとを接続する接続通路を、気泡移動制御装置を備えたものとすれば、ブレーキアクチュエータ内に気泡が滞留することを良好に回避することができる。
【発明の態様】
【００１０】
以下に、本願において特許請求が可能と認識されている発明（以下、「請求可能発明」という場合がある。請求可能発明は、少なくとも、請求の範囲に記載された発明である「本発明」ないし「本願発明」を含むが、本願発明の下位概念発明や、本願発明の上位概念あるいは別概念の発明を含むこともある。）の態様をいくつか例示し、それらについて説明する。各態様は請求項と同様に、項に区分し、各項に番号を付し、必要に応じて他の項の番号を引用する形式で記載する。これは、あくまでも請求可能発明の理解を容易にするためであり、請求可能発明を構成する構成要素の組み合わせを、以下の各項に記載されたものに限定する趣旨ではない。つまり、請求可能発明は、各項に付随する記載，実施例の記載等を参酌して解釈されるべきであり、その解釈に従う限りにおいて、各項の態様にさらに他の構成要素を付加した態様も、また、各項の態様から構成要素を削除した態様も、請求可能発明の一態様となり得るのである。
【００１１】
なお、以下の各項において、（１）項が請求項１に相当し、（２）項が請求項２に、（７）項が請求項３に、（９）項が請求項４に、（１０）項が請求項５に、（１４）項が請求項６に、（１６）が請求項７に、（１８）項が請求項８に、（２１）項が請求項９に、（２５）項が請求項１０に、（２６）項が請求項１１にそれぞれ相当する。
【００１２】
（１）液圧回路中の第一点と第二点との間を接続する接続通路であって、
その接続通路に、 (i)その接続通路の、前記第一点側から前記第二点側に向かう向きにおいて上方から下方へ延びる部分の少なくとも一部の横断面積が、他の部分の横断面積に比較して小さくされて成る狭通路部と、 (ii)その接続通路の横断面積が急変する面積急変部との少なくとも一方が、少なくとも１つ設けられたことを特徴とする接続通路。
下記 (7)項、 (9)項ないし(19)項に記載の態様は、本項の発明の一態様であるといえる。
（２）液圧回路中の第一点と第二点との間を接続する接続通路であって、
その接続通路の少なくとも一部が互いに並列の第一通路および第二通路を含み、第一通路に第一流通規制部が、第二通路に第二流通規制部がそれぞれ設けられるとともに、それら第一流通規制部と第二流通規制部との液体の流れを規制する方向が互いに反対向きとされたことを特徴とする接続通路。
（３）前記第一流通規制部と前記第二流通規制部との少なくとも一方が、正方向の液体の流れは許容するが逆方向の流れは阻止する逆止弁により構成された (2)項に記載の接続通路。
（４）前記第一通路と前記第二通路とが一体的な通路形成部材内に形成された (2)項または (3)項に記載の接続通路。
（５）前記通路形成部材が１本のホースであり、そのホースの内部空間がそのホースの長手方向に平行に延びる仕切により仕切られることにより、１本のホース内に前記第一通路と前記第二通路とが形成された (4)項に記載の接続通路。
（６）前記仕切が、液体の通過は許容するが気泡の通過は許容しない多孔材により形成された (5)項に記載の接続通路。
多孔材としては、例えば、気泡の通過を許容しない網目の網や、気泡の通過を許容しない多孔性樹脂等を採用し得る。
（７）作動液を蓄えるリザーバと、そのリザーバから作動液を汲み上げるポンプと、それらリザーバとポンプとを接続する接続通路とを含む液圧回路であって、
前記接続通路に、 (i)その接続通路の、前記ポンプ側から前記リザーバ側に向かう向きにおいて上方から下方へ延びる部分の少なくとも一部の横断面積が、他の部分の横断面積に比較して小さくされて成る狭通路部と、 (ii)その接続通路の横断面積が急変する面積急変部との少なくとも一方が、少なくとも１つ設けられたことを特徴とする液圧回路。
下記 (9)項ないし(19)項に記載の態様は、本項の発明の一態様であるといえる。
（８）作動液を蓄えるリザーバと、そのリザーバから作動液を汲み上げるポンプと、それらリザーバとポンプとを接続する接続通路とを含む液圧回路であって、
前記接続通路の少なくとも一部が互いに並列の第一通路および第二通路を含み、第一通路に第一流通規制部が、第二通路に第二流通規制部がそれぞれ設けられるとともに、それら第一流通規制部と第二流通規制部との液体の流れを規制する方向が互いに反対向きとされたことを特徴とする液圧回路。
(3)項ないし (6)項の各々に記載の接続通路は本項の液圧回路にも適用可能である。
（９） (a)ブレーキ液を蓄えるリザーバと、
(b)少なくとも、前記リザーバからブレーキ液を汲み上げるポンプと、そのポンプをブレーキシリンダに接続する液通路の途中に設けられてブレーキシリンダに対するブレーキ液の流入を制御する増圧弁とを含むブレーキアクチュエータと、
(c)そのブレーキアクチュエータと前記リザーバとを接続する接続通路と
を含むブレーキ液圧制御装置において、
前記接続通路に、 (i)その接続通路の、前記ブレーキアクチュエータから前記リザーバに向かう向きにおいて上方から下方へ延びる部分の少なくとも一部の横断面積が、他の部分の横断面積に比較して小さくされて成る狭通路部と、 (ii)その接続通路の横断面積が急変する面積急変部との少なくとも一方が、少なくとも１つ設けられたことを特徴とするブレーキ液圧制御装置。
面積急変部は、気泡のトラップと成り得る状態で面積が急変していればよい。ブレーキアクチュエータは、ブレーキシリンダからブレーキ液の流出を制御する減圧弁を含むものとすることも可能である。
リザーバ側からブレーキアクチュエータ側への気泡の移動を抑制し、逆向きの移動は促進することが望ましい。このようにすれば、気泡が自然に大気中に放出され、あるいはリザーバ内に溜まることとなる。リザーバ内であれば、ある程度の気泡が溜まっても差し支えがなく、また、排除することが容易である。
（１０）前記リザーバが前記ブレーキアクチュエータより下方に配置された (9)項に記載のブレーキ液圧制御装置。
（１１）前記狭通路部を含み、その狭通路部が、前記接続通路の、少なくとも、前記ブレーキアクチュエータから前記リザーバに向かう向きにおいて勾配が最も急である部分に設けられた (9)項または(10)項に記載のブレーキ液圧制御装置。
ブレーキアクチュエータからリザーバに向かう向きにおいて上方から下方へ延びる部分であって勾配が最も急な部分は、接続通路において気泡が特にリザーバ側へ排出され難い部分であるので、この部分に狭通路部を設ければ特に有効である。
（１２）前記狭通路部が、前記接続通路の、少なくとも、前記ブレーキアクチュエータから前記リザーバに向かう向きにおいて上方から下方へ連続して延びる長さが最も長い部分の少なくとも一部を含む(11)項に記載のブレーキ液圧制御装置。
ブレーキアクチュエータからリザーバに向かう向きにおいて上方から下方へ連続して延びる長さが最も長い部分は、接続通路において気泡が特にリザーバ側へ排出され難い部分であるので、この部分の少なくとも一部に狭通路部を設ければ特に有効である。狭通路部が、上方から下方へ連続して延びる長さが最も長い部分の２／３以上であれば一応の効果が得られ、ほぼ全部であることが特に望ましい。
（１３）前記狭通路部が、前記接続通路の、少なくとも、前記ブレーキアクチュエータから前記リザーバに向かう向きにおいて上方から下方へ連続して延びる部分全体の鉛直方向の成分が最大である部分の少なくとも一部を含む(11)項または(12)項に記載のブレーキ液圧制御装置。
ブレーキアクチュエータからリザーバに向かう向きにおいて上方から下方へ連続して延びる部分全体の鉛直方向の成分が最大である部分は、接続通路において気泡が特にリザーバ側へ排出され難い部分であるので、この部分の少なくとも一部に狭通路部を設ければ特に有効である。狭通路部が、鉛直方向の成分が最大である部分の２／３以上であれば一応の効果が得られ、ほぼ全部であることが特に望ましい。
（１４）前記狭通路部を含み、その狭通路部およびその近傍部が管体から成る (9)項ないし(13)項のいずれかに記載のブレーキ液圧制御装置。
上記「管体から成る」とは、マニホールド，継手部材，弁装置等から成るのではなく、管体から成るの意である。管体は、主としてゴムから成るブレーキホースでも、金属製のブレーキパイプでもよい。また、狭通路部およびその近傍部は、細い管体の少なくとも一端部に太い管体が固着されることにより形成されてもよく、当初から一体に形成されてもよい。
（１５）前記狭通路部を含み、その狭通路部の横断面積が他の部分の横断面積の８５％以下である (9)項ないし(14)項のいずれかに記載のブレーキ液圧制御装置。
上記狭通路部の横断面積は、６０％以下，５０％以下であることがさらに望ましい。狭通路部の横断面積が他の部分の横断面積に比較して狭いほど気泡の排出が良好になるが、同時にブレーキ液の流通抵抗が大きくなるため、抵抗増大回避の観点からは４０％以上とすることが望ましい。
（１６）前記面積急変部を含み、その面積急変部が、前記ブレーキアクチュエータから前記リザーバに向かう向きにおいて横断面積が急減する面積急減部である (9)項ないし(15)項のいずれかに記載のブレーキ液圧制御装置。
面積急減部は、少なくともブレーキ液がリザーバ側からブレーキアクチュエータ側へ移動する際に、気泡トラップとして機能し得る程度に急激に横断面積が減少していればよい。ブレーキアクチュエータからリザーバに向かう向きにおいて横断面積が急増する面積急増部もトラップ機能を果たし得るが、面積急減部の方がトラップ機能を良好に果たし、かつ、一旦捕捉した気泡がリザーバ側へ流れることを妨げ難い。
（１７）前記接続通路が前記狭通路部を含み、その狭通路部の前記ブレーキアクチュエータ側の端部とそれに隣接する部分との間に、前記面積急減部が形成された(16)項に記載のブレーキ液圧制御装置。
狭通路部と面積急変部とを接続通路の互いに隔たった部分に設けることも可能であるが、本項の特徴によれば、狭通路部の一端を利用して面積急減部を形成することができ、構成を単純化し得る。
（１８）前記接続通路の、前記狭通路部の前記リザーバ側の端に隣接する部分に、リザーバ側の部分ほど横断面積が漸増する面積漸増部が形成された(17)項に記載のブレーキ液圧制御装置。
面積漸増部は、少なくとも、ブレーキ液が接続通路内をブレーキアクチュエータ側からリザーバ側へ流れる際に、気泡トラップ機能を果たさない程度に緩やかに横断面積が変化するものであればよい。
（１９）前記面積急変部を含み、その面積急変部が管体の内部に形成された (9)項ないし(18)項のいずれかに記載のブレーキ液圧制御装置。
上記「管体の内部」とはマニホールド，継手部材，弁装置等の内部ではない意である。管体内部の面積急減部は、細い管が太い管の内側に嵌合され、ろう付け，接着等により取り外し不能に固着されることにより形成されてもよく、当初から他の部分と一体に形成されてもよい。
（２０） (a)ブレーキ液を蓄えるリザーバと、
(b)少なくとも、前記リザーバからブレーキ液を汲み上げるポンプと、そのポンプをブレーキシリンダに接続する液通路の途中に設けられてブレーキシリンダに対するブレーキ液の流入を制御する増圧弁とを含むブレーキアクチュエータと、
(c)そのブレーキアクチュエータと前記リザーバとを接続する接続通路と
を含むブレーキ液圧制御装置において、
前記接続通路の少なくとも一部が互いに並列の第一通路および第二通路を含み、第一通路に第一流通規制部が、第二通路に第二流通規制部がそれぞれ設けられるとともに、それら第一流通規制部と第二流通規制部との液体の流れを規制する方向が互いに反対向きとされたことを特徴とするブレーキ液圧制御装置。
(3)項ないし (6)項の各々に記載の接続通路は本項のブレーキ液圧制御装置にも適用可能である。
（２１） (a)ブレーキ液を蓄えるリザーバと、
(b)少なくとも、前記リザーバからブレーキ液を汲み上げるポンプと、そのポンプから吐出されたブレーキ液を加圧下に蓄えるアキュムレータと、それらポンプおよびアキュムレータをブレーキシリンダに接続する液通路の途中に設けられてブレーキシリンダへのブレーキ液の流入を制御する増圧弁とを含むブレーキアクチュエータと、
(c)そのブレーキアクチュエータと前記リザーバとを接続する接続通路と
を含むブレーキ液圧制御装置において、
前記接続通路に、それが設けられない状態に比較して、前記ブレーキアクチュエータから前記リザーバへの気泡の移動を容易とする一方、逆向きの移動を困難とする気泡移動制御装置が設けられたことを特徴とするブレーキ液圧制御装置。
（２２）前記気泡移動制御装置が、 (i)前記接続通路の、前記ブレーキアクチュエータから前記リザーバに向かう向きにおいて上方から下方へ延びる部分の少なくとも一部の横断面積が、他の部分の横断面積に比較して小さくされて成る狭通路部と、 (ii)その狭通路部の前記ブレーキアクチュエータ側の端とそれに隣接する部分との間に設けられ、ブレーキアクチュエータ側から前記リザーバ側に向かって横断面積が急減する面積急減部と、 (iii)前記狭通路部の前記リザーバ側の端に隣接する部分に設けられ、リザーバ側に向かって横断面積が漸増する面積漸増部とを含む(21)項に記載のブレーキ液圧制御装置。
（２３）前記接続通路の少なくとも一部が互いに並列の第一通路および第二通路を含み、第一通路に第一流通規制部が、第二通路に第二流通規制部がそれぞれ設けられるとともに、それら第一流通規制部と第二流通規制部との液体の流れを規制する方向が互いに反対向きとされ、それら第一通路，第二通路、第一流通規制部および第二流通規制部が前記気泡移動制御装置を構成している(21)項に記載のブレーキ液圧制御装置。
(3)項ないし (6)項の各々に記載の接続通路は本項の液圧回路にも適用可能である。
（２４）所定の通過経路に沿って第一点と第二点とを接続する接続通路であって、それが設けられない状態に比較して、第一点側から第二点側への気泡の移動を容易とする一方、逆向きの移動を困難とする気泡移動制御装置を設けたことを特徴とする接続通路。
(22)項および(23)項の各々に記載の特徴は本項の接続通路にも適用可能である。
（２５） (i)少なくとも一部の横断面積が、他の部分の横断面積に比較して小さくされて成る狭通路部と、 (ii)横断面積が急変する面積急変部との少なくとも一方が、少なくとも１つ設けられたことを特徴とする液通路用管体。
本項の管体は、 (1)項、 (7)項、 (9)項ないし(19)項、(21)項、(22)項および(24)項の各発明の実施に有効である。
（２６）１本の管体の内部空間がその管体の長手方向に平行に延びる仕切により仕切られることにより、１本の管体内に第一通路および第二通路が形成され、かつ、第一通路に第一流通規制部が、第二通路に第二流通規制部がそれぞれ設けられるとともに、それら第一流通規制部と第二流通規制部との液体の流れを規制する方向が互いに反対向きとされたことを特徴とする液通路用管体。
上記仕切を液体の通過は許容するが気泡の通過は許容しない多孔材により形成することも可能であり、その際、多孔材としては、例えば、気泡の通過を許容しない網目の網や、気泡の通過を許容しない多孔性樹脂，多孔性焼結材等を採用し得る。
【実施例】
【００１３】
以下、請求可能発明のいくつかの実施例を、図を参照しつつ説明する。なお、請求可能発明は、下記実施例の他、上記〔発明の態様〕の項に記載された態様を始めとして、当業者の知識に基づいて種々の変更を施した態様で実施することができる。
【００１４】
図１に、実施例としてのブレーキ液圧制御装置１０を概念的に示す。本ブレーキ液圧制御装置１０は、運転者によりブレーキ操作を実施するためのブレーキ操作装置１２と、そのブレーキ操作に基づいて各車輪に設けられたブレーキシリンダ１４内のブレーキ液圧を制御するブレーキアクチュエータ１６とを備える。
【００１５】
ブレーキ操作装置１２は、図示を省略する車体に回動可能に設けられたブレーキペダル２０と、ブレーキペダル２０の回動運動を直線運動に変換してマスタシリンダ２２に伝達する運動変換機構２３とを含んでいる。マスタシリンダ２２は、マスタカット弁２４を経て左右前輪のブレーキシリンダ１４に接続されている。マスタシリンダ２２はまた、開閉弁２６を介してストロークシミュレータ２８に接続されている。マスタシリンダ２２には、ブレーキ液を蓄えるリザーバ３０が接続されており、このリザーバ３０は、接続通路たるゴム製のホース４０によりブレーキアクチュエータ１６とも接続されている。
【００１６】
ブレーキアクチュエータ１６は、リザーバ３０からブレーキ液をくみ上げるポンプ５０と、ポンプ５０から吐出されたブレーキ液を加圧下に蓄えるアキュムレータ５２と、ポンプ５０の吐出圧が過大となることを防止するリリーフ弁５４とを備えた液圧源を含んでいる。ポンプ５０は駆動源たるモータ５６により駆動され、このモータ５６が図示を省略する圧力スイッチにより制御されることによって、アキュムレータ５２の液圧が一定範囲に維持される。ブレーキアクチュエータ１６はさらに、ポンプ５０から各ブレーキシリンダ１４へのブレーキ液の流入を制御する増圧弁６０と、各ブレーキシリンダ１４からリザーバ３０へのブレーキ液の流出を制御する減圧弁６２とを含んでいる。それら増圧弁６０および減圧弁６２は、供給電流に応じてリニアに液圧を制御するリニア液圧制御弁とされている。ポンプ５０と増圧弁６０との間に圧力計６４が設けられて液圧源液圧が監視されるとともに、各ブレーキシリンダ１４の液圧が圧力計６４により監視される。
【００１７】
図２にブレーキアクチュエータ１６の斜視図を示す。ブロック状の本体部６６の内部に上述のポンプ５０が収容されており、その本体部６６の側方に突出してモータ５６とアキュムレータ５２とが上下に並んで配設されている。それらポンプ５０およびアキュムレータ５２は、本体部６６の上方に突出するリザーバ接続口７０において前記ホース４０によりリザーバ３０に接続されている。本体部６６の上面にはさらに、接続口が６個開口しているが、それらのうち４個がブレーキシリンダ１４にそれぞれ接続されたブレーキシリンダ接続口７２とされており、２個がマスタシリンダ２２に接続されたマスタシリンダ接続口７４とされている。
【００１８】
通常は運転者によりブレーキ操作が行われれば、マスタカット弁２４が閉状態とされてマスタシリンダ２２とブレーキシリンダ１４とが遮断されるとともに、開閉弁２６が開状態とされてマスタシリンダ２２がストロークシミュレータ２８に連通させられて運転者に操作感を付与するようにされる。一方、ブレーキアクチュエータ１６においては、運転者によるブレーキペダル２０の操作量（操作ストロークと操作力との少なくとも一方）や、車輪速度，車体速度などに基づいて、図示を省略するコンピュータにより増圧弁６０および減圧弁６２の制御が行われて、各ブレーキシリンダ１４内のブレーキ液圧が増圧、減圧されることにより、車両の制動が行われる。
【００１９】
本ブレーキ液圧制御装置１０は、図３に概略的に示すようにブレーキアクチュエータ１６に対して、リザーバ３０の方が下方に位置するように配置されており、それらブレーキアクチュエータ１６とリザーバ３０とを接続するホース４０が、図示を省略する種々の装置を迂回して上下に湾曲させられて配管されている。
【００２０】
ホース４０は、部分的に液通路の横断面積を変更することにより、ブレーキ液内に含まれる気泡がブレーキアクチュエータ１６からリザーバ３０に向かう向きに流れ易くしたり、気泡を捕捉してブレーキアクチュエータ１６に侵入することを阻止する形状に形成されている。具体的には、ホース４０は、ブレーキアクチュエータ１６側から順に、ブレーキアクチュエータ１６からリザーバ３０に向かう向きにおいて横断面積が急減する面積急減部８０と、他の部位に比較して横断面積が小さくされた２つの狭通路部８２，８４とを備えている。ホース４０は、ブレーキアクチュエータ１６からリザーバ３０に向かう向きにおいて上方から下方へ延びる急傾斜部が２個所設けられているが、それら急傾斜部に横断面積が他の部分に比較して小さい狭通路部８２，８４がそれぞれ設けられている。
【００２１】
面積急減部８０は、ブレーキアクチュエータ１６に比較的近い部位であって、鉛直方向成分の変化の小さい部位に設けられている。アクチュエータから比較的横断面積の大きい広通路部８６が延び出しており、その広通路部８６のリザーバ３０側の端部に面積急減部８０が設けられており、その横断面積が減少した状態の一般通路部に接続されている。面積急減部８０は、ブレーキ液がリザーバ３０側からブレーキアクチュエータ１６側へ移動する際に、そのブレーキ液と共に移動する気泡を捉えるトラップとして機能する程度に急激に横断面積が減少している。
【００２２】
２個所の狭通路部８２，８４のうちブレーキアクチュエータ１６に近い狭通路部８２は、急傾斜部の全体よりやや短い長さで形成され、隣接する部位に滑らかに接続されている。それに対して、他方の狭通路部８４は、図４に拡大して示すように、急傾斜部の全体を超えてホース４０の鉛直方向成分の変化が少ない部位にまで達する長さで形成されている。その狭通路部８４のブレーキアクチュエータ１６側の端部に隣接して、ブレーキアクチュエータ１６からリザーバ３０に向かう向きにおいて横断面積が急減する面積急減部８８が形成されている。さらに狭通路部８４のリザーバ３０側の端部であって、鉛直方向成分の変化が少ない部位にブレーキアクチュエータ１６からリザーバ３０に向かう向きにおいて横断面積が漸増する面積漸増部９０が形成されている。面積漸増部９０は面積急減部８０，８８に比較して横断面積が緩やかに変化する形状とされ、ブレーキ液がブレーキアクチュエータ１６側からリザーバ３０側へ移動する際に気泡を捉えないようにされている。前記狭通路部８２のリザーバ３０側の端部にも同様な面積漸増部９２が形成され、反対側の端部には面積が漸減する面積漸減部９４が形成されている。
【００２３】
以上のように構成されたブレーキ液圧制御装置１０において、リザーバ３０とブレーキアクチュエータ１６との間でブレーキ液が移動させられる場合について説明する。
まず、ポンプ５０によるブレーキ液の汲上げにより、ブレーキ液がリザーバ３０からブレーキアクチュエータ１６に向かう向きに移動する場合には、面積急減部８０，８８に、ブレーキ液の流速が０あるいは小さい領域が生じ、図４に示すように、気泡９６がその領域に滞留する。面積急減部８０，８８がトラップとして機能するのであり、ブレーキ液と共にブレーキアクチュエータ１６側へ向かう気泡９６を捕捉するのである。特に、本実施例においては、面積急減部８０，８８が、ホース４０の水平部あるいはリザーバ３０に向かう向きにおいてやや上り勾配となる部分に設けられているので、気泡の捕捉が良好に行われる。これによって、一旦ホース４０内に入った気泡９６がブレーキアクチュエータ１６側へ戻ることが良好に防止される。面積漸増部９０，９２がトラップとして機能しないことは勿論、面積漸減部９４もトラップとしては機能しない。
【００２４】
ブレーキシリンダ１４を減圧するために減圧弁６２が開かれ、あるいはブレーキアクチュエータ１６内の気泡を排除するために増圧弁６０および減圧弁６２が共に開かれるなどにより、ブレーキ液がブレーキアクチュエータ１６からリザーバ３０に向かう向きに移動する場合には、面積急減部８０，８８がトラップとして機能せず、上記のように捕捉された気泡が、ブレーキ液と共にリザーバ３０に向かって移動することを許容する。また、狭通路部８２．８４は気泡のリザーバ３０に向かう向きの移動を助ける。これら狭通路部８２，８４は、ブレーキアクチュエータ１６からリザーバ３０に向かう向きにおいては、下り勾配となる部分に設けられており、この部分においてはブレーキ液内に混入している気泡が浮力により上昇する傾向があって、リザーバ３０側へは移動し難いのであるが、本実施例においては横断面積が小さくされているため、ブレーキ液の流速が大きく、上記浮力に抗して気泡をリザーバ３０側へ移動させ易いのである。なお、面積漸増部９０，９２および面積漸減部９４はトラップとして機能しない。また、リザーバ３０に入った気泡は浮力によって液面へ上昇し、ブレーキ液から除かれる。
【００２５】
このように、本実施例のホース４０は、狭通路部８２，８４と面積急減部８０，８８とを備えているため、これらを備えない場合に比較して、気泡がリザーバ３０からブレーキアクチュエータ１６に向かって移動し難く、ブレーキアクチュエータ１６からリザーバ３０に向かって移動し易くなっている。
なお、面積漸減部９４は、面積急減部としても勾配が急な部分にあってトラップとして機能し得ないため、面積漸増部としたのであるが、面積急減部としてもよい。すなわち、ブレーキアクチュエータ１６からリザーバ３０に向かう向きにおいて横断面積が減少する部分はすべて面積急減部とし、横断面積が増大する部分はすべて面積漸増部としても差し支えなのである。
【００２６】
上記実施例においては、ホース４０自体の形状によって狭通路部８２，８４が形成されていたが、ホースの一部を変形させることにより狭通路部とすることも可能である。その一例を図５および図６に示す。ホース９８は、図６に示すように、外周面の横断面形状が円形、内周面の横断面形状が楕円形に成形されており、このことにより、ホース９８は、外側から圧力がかけられた場合に、厚肉の部分どうしが互いに接近して扁平に押しつぶされる形態で弾性変形する。
【００２７】
そのホース９８の狭通路部とされるべき部分の外周側に流路縮小装置１００が気密に嵌合されている。流路縮小装置１００は、金属製（硬質合成樹脂製でもよい）であって狭通路部全体を覆う長さに形成されたパイプ１０２と、パイプ１０２の両端部において、パイプ１０２とホース９８との間に嵌合される一対のリング１０４とを組み合わせてなる本体１０６を備える。それらパイプ１０２とリング１０４とは互いに接着されるとともに、リング１０４がホース９８に接着されており、このことにより、ホース９８とパイプ１０２とリング１０６とに囲まれたエア室１０８が形成されている。エア室１０８は、パイプ１０２に形成された開口部１１０と、パイプ１０２にろう付け，接着等により固着された継手部材１１２とを介して、図示を省略するホースによりエア源に接続されており、開口部１１０とエア源との間に設けられた方向切換弁１１４によりエア源と外気とに選択的に連通可能とされている。
【００２８】
ブレーキ液がブレーキアクチュエータ１６からリザーバ３０に向かう向きに移動する場合には、方向切換弁１１４が切り換えられて流路縮小装置１００のエア室１０８がエア源に連通させられ、エア室１０８内の圧力が上昇してホース９８が押しつぶされ、狭通路部が形成される。狭通路部においては、ブレーキ液が、他の部分に比較して高速で流されるので、その流れによりブレーキ液に含まれる気泡がブレーキアクチュエータ１６側からリザーバ３０側へ良好に押し流される。
【００２９】
それに対して、リザーバ３０からブレーキアクチュエータ１６に向かう向きにブレーキ液が移動する場合には、エア室１０８が大気に連通させられて圧力が低下させられ、ホース９８の押しつぶしが解除される。それによって、狭通路部が通常通路部に復帰させられ、ホース９８の流路抵抗が低減させられる。
【００３０】
本実施例においては、流路縮小装置１００による狭通路部の形成，解除は、ブレーキアクチュエータ１６の作動に伴って生じるホース９８内におけるブレーキ液の流れの推定に基づいて行われる。すなわち、方向切換弁１１４は制御装置１１８により制御されるようになっているが、この制御装置１１８は本来ブレーキアクチュエータ１６を制御するものであるため、モータ５６，増圧弁６０，減圧弁６２等の作動状況を把握しおり、その作動状況の情報に基づいてホース９８内におけるブレーキ液の流れの向きを推定する機能を備えているのである。
【００３１】
しかしながら、例えば、車両の停止時やエンジンの始動時など、予め定められた時期に、意図的にブレーキアクチュエータ１６（例えば、アキュムレータ５２）からリザーバ３０に向かう向きのブレーキ液の流れが生じさせられるとともに、それに同期して流路縮小装置１００が作動させられ、狭通路部が形成するようにしてもよい。
また、前記実施例においては、リザーバ３０がマスタシリンダ２２に固定されていたが、マスタシリンダ２２から離れた位置に配設されてもよく、そのような場合であってリザーバ３０が車体内の比較的下方のスペースに設けられる場合に、本発明は特に有効である。
【００３２】
別の実施例であるブレーキ液圧制御装置のホース１３０を図７および図８に示す。このホース１３０は、大半の部分が互いに並列の２つの通路を備え、それら通路それぞれに流通規制部が設けられている。それら流通規制部は、ブレーキ液の流れを規制する向きが互いに反対向きとされることにより、そのホース１３０により接続される２点の一方から他方への気泡の移動は許容し、逆向きの移動は阻止するようにされている。
【００３３】
具体的には、ホース１３０の内部空間がそのホース１３０の長手方向に平行に延びる仕切１３２により仕切られ、１本のホース内に第一通路１３４と第二通路１３６とが形成されている。ホース１３０とブレーキアクチュエータ１６との接続部付近には、第一通路１３４へのブレーキ液の流入は許容するが、流出は阻止する第一逆止弁１３８が第一流通規制部として設けられ、第二通路１３６からのブレーキ液の流出は許容するが流入は阻止する第二逆止弁１４０が第二流通規制部として設けられている。これら第一逆止弁１３８と第二逆止弁１４０は、外周面、内周面の横断面形状がともに半円形で筒状の本体１４２と、内周面の横断面形状の半円形より僅かに大きい半円形のリーフバルブ１４４とで構成されている。各本体１４２の一端とリーフバルブ１４４とは、半円形の直線部において接着等により互いに結合されており、本体１４２の内部に向かう向きの流れにはリーフバルブ１４４が閉じ、逆向きの流れには湾曲して開くようにされている。
【００３４】
このブレーキ液圧制御装置において、ブレーキ液がブレーキアクチュエータ１６からリザーバ３０に向かう向きに移動する場合には、ブレーキ液は、第二逆止弁１４０により第二通路１３６内への流入を阻止され、第一通路１３４の第一逆止弁１３８を通過する。ブレーキ液にブレーキアクチュエータ１６から排出された気泡が含まれている場合でも、その気泡を含むブレーキ液が一旦、第一逆止弁１３８を通過すれば、リザーバ３０側からブレーキアクチュエータ１６側への流れは第一逆止弁１３８により阻止され、気泡がブレーキアクチュエータ１６内へ逆戻りすることはなく、気泡を含むブレーキ液は第一通路１３８を経て、確実にリザーバ３０へ排出される。
それに対し、ブレーキ液がリザーバ３０からブレーキアクチュエータ１６に向かう向きに移動する場合は、気泡を含まないブレーキ液が、リザーバ３０から第二通路１３６および第二逆止弁１４０を通過し、アクチュエータ１６に吸入される。
【００３５】
本実施例において、第一通路１３４と第二通路１３６の仕切１３２は、ホース１３０の周壁と一体に形成され、一切の通過を許容しないものであるが、ブレーキ液の通過は許容するが気泡の通過は許容しない多孔性樹脂製としてもよい。図９ないし図１１に、その一例を示す。ホース１５０とブレーキアクチュエータ１６との接続部付近には、第一流通規制部１５２と第二流通規制部１５４とを構成する方向制御弁１５６が配設されている。その方向制御弁１５６の本体は、円筒状の外管部１５７と、その外管部１５７の内部空間を２つに仕切る仕切壁部１５８とを備えている。仕切壁部１５８のブレーキアクチュエータ１６側の部分は、図１０に示すように平板状を成し、外管部１５７の内部空間を、２つの半円形断面の開口部１５９，１６０に仕切っている。この仕切壁部１５８のリザーバ３０側の部分は、図１１に示すように、外管部１５７より直径が小さい円筒状を成し、この円筒状の仕切壁部１５８は外管部１５７の片側へ偏心している。この円筒状の仕切壁部１５８により外管部１５７の内部空間が円形の開口部１６２と、その開口部１６２を包む形状（三日月状）の開口部１６４とに仕切られている。仕切壁部１５８は、外管部１５７の軸方向において、ブレーキアクチュエータ１６側の平板状部からリザーバ３０側の円筒状部へと形状が漸変しているのであり、それに伴って、外管部１５７内の、仕切壁部１５７によって仕切られた２つの空間の横断面形状も半円形から円形あるいは三日月状へとそれぞれ漸変している。仕切壁部１５８の円筒状の部分に連続して、同一横断面形状の継手部１６５が設けられている。
【００３６】
方向制御弁１５６のリザーバ３０側の端部、具体的には上記継手部１６５の先端には円形の第一リーフバルブ１６６が、リザーバ側への湾曲が可能な状態に結合されている。方向制御弁１５６の本体の、ブレーキアクチュエータ１６側の開口部１５８からリザーバ３０側の開口部１６２への通路と、第一リーフバルブ１６６とによって第一流通規制部１５２が構成されている。
また、半円形の開口部１６０側には、それの内周面の横断面形状より大きく外周面の横断面形状よりは小さい半円形の第二リーフバルブ１６８が、半円形の直線部において、仕切壁部１５８に、ブレーキアクチュエータ１６側への湾曲のみ可能に結合されている。方向制御弁１５６の本体の、リザーバ３０側の開口部１６４からブレーキアクチュエータ１６側の開口部１６０への通路と、第二リーフバルブ１６８とにより第二流通規制部１５４が構成されている。
前記継手部１６５には、ブレーキ液の通過は許容するが気泡の通過は許容しない多孔材ホース１７０が嵌合されている。この多孔材ホース１７０の内部が第一通路１７２であり、多孔材ホース１７０とホース１５０との間の空間が第二通路１７４である。
【００３７】
本ホース１５０を備えたブレーキ液圧制御装置において、ブレーキ液がブレーキアクチュエータ１６からリザーバ３０に向かう向きに移動する場合には、ブレーキ液は、第二流通規制部１５４により第二通路１７４内への流入を阻止され、第一流通規制部１５２の第一リーフバルブ１６６を通過する。第一通路１７２は、多孔材ホース１７０により形成されているため、ブレーキ液は第二通路１７４側へ通過可能であるが、ブレーキ液に含まれる気泡は通過できず、第一通路１７２内を通ってリザーバ３０側に押し流される。
それに対し、ブレーキ液がリザーバ３０からブレーキアクチュエータ１６に向かう向きに移動する場合は、リザーバ３０から気泡を含まないブレーキ液が、第二通路１７４もしくは第一通路１７２を経て、ブレーキアクチュエータ１６に向かって流れる。第一通路１７２のブレーキ液にブレーキアクチュエータ１６から排出された気泡が含まれている場合でも、その気泡を含むブレーキ液が一旦、第一流通規制部１５２の第一リーフバルブ１６６を通過すれば、リザーバ３０側からブレーキアクチュエータ１６側への移動は第一流通規制部１５２によって阻止され、気泡がブレーキアクチュエータ１６内へ逆戻りすることはない。上述したように、ブレーキ液は多孔材ホース１７０の周壁を通過して第一通路１７２から第二通路１７４へ移動し得るが、気泡は移動し得ないため、気泡を含まないブレーキ液のみが第二流通規制部１５４の第二リーフバルブ１６８を通過し、アクチュエータ１６に吸入される。
【００３８】
本実施例においては、気泡のリザーバ３０側からブレーキアクチュエータ１６側への移動を防止し得る上、ブレーキ液は多孔材ホース１７０の周壁を通過し得るため、リザーバ３０側からブレーキアクチュエータ１６側へ流れる場合でも、逆向きに流れる場合でも、第一，第二の両液通路１７２，１７４を流れることができ、ホース１５０内の空間をブレーキ液を流すために有効に利用し得る。
【００３９】
上記２つの実施形態においては、第一通路と第二通路が１本のホース内に形成されているが、それぞれ別の通路形成部材により形成されるものとしてもよい。図１２に、その一例を示す。ホース１８０が第一通路で、ホース１８２が第二通路である。ホース１８０とホース１８２には、ブレーキアクチュエータ１６との接続口付近に、それぞれ第一逆止弁１８４と第二逆止弁１８６とが設けられており、第一逆止弁１８４が、ブレーキアクチュエータ１６からリザーバ３０へのブレーキ液の流れは許容するが逆向きの流れは阻止し、第二逆止弁１８６が、リザーバ３０からブレーキアクチュエータ１６へのブレーキ液の流れは許容するが逆向きの流れは阻止するようにされている。
本実施例において、ブレーキアクチュエータ１６から排出された気泡が通過するのは第一通路のホース１８０のみであり、その気泡がブレーキアクチュエータ１６内へ逆戻りすることはホース１８０に設けられた第一逆止弁１８４により阻止される。
また、本実施形態において、逆止弁１８４、１８６はホース内に設けられているが、例えば、ブレーキアクチュエータ内のホースとの接続口付近など、ブレーキアクチュエータ内に設けてもよい。
【図面の簡単な説明】
【００４０】
【図１】請求可能発明の一実施形態であるブレーキ液圧制御装置を示す回路図である。
【図２】図１に示すブレーキアクチュエータの斜視図である。
【図３】図１に示すブレーキアクチュエータとリザーバとの配置を概念的に示す正面図である。
【図４】図３に示すホースの一部を拡大して示す正面断面図である。
【図５】別の実施例におけるホースの一部を拡大して示す正面図（一部断面）である。
【図６】図５に示すホースの横断面図である。
【図７】さらに別の実施例におけるホースの一部を拡大して示す正面断面図である。
【図８】図７に示すホースのＡ−Ａ断面図である。
【図９】さらに別の実施例におけるホースの一部を拡大して示す正面断面図である。
【図１０】図９に示すホースのＢ−Ｂ断面図である。
【図１１】図９に示すホースのＣ−Ｃ断面図である。
【図１２】さらに別の実施例であるブレーキ液圧制御装置を示す回路図である。
【符号の説明】
【００４１】
１０：ブレーキ液圧制御装置    １２：ブレーキ操作装置    １４：ブレーキシリンダ    １６：ブレーキアクチュエータ    ３０：リザーバ    ４０：ホース    ５０：ポンプ    ５２：アキュムレータ    ８０：面積急減部    ８２，８４：狭通路部    ８６：広通路部    ８８：面積急減部    ９０，９２：面積漸増部    ９４：面積漸減部    １００：流路縮小装置    １０８：エア室    １１４：方向制御弁    １３０：ホース    １３２：仕切    １３４：第一通路    １３６：第二通路    １３８：第一逆止弁    １４０：第二逆止弁    １５０：ホース    １５２：第一流通規制部    １５４：第二流通規制部    １５６：方向制御弁    １７０：多孔材ホース    １７２：第一通路    １７４：第二通路    １８０：ホース（第一通路）    １８２：ホース（第二通路）    １８４：第一逆止弁    １８６：第二逆止弁
【図１】
2005193759.tif 000003
【図２】
2005193759.tif 000004
【図３】
2005193759.tif 000005
【図４】
2005193759.tif 000006
【図５】
2005193759.tif 000007
【図６】
2005193759.tif 000008
【図７】
2005193759.tif 000009
【図８】
2005193759.tif 000010
【図９】
2005193759.tif 000011
【図１０】
2005193759.tif 000012
【図１１】
2005193759.tif 000013
【図１２】
2005193759.tif 000014